(57)【特許請求の範囲】
【請求項１】
ケーブル導管部分がケーブル導管要素から外れるのを防ぐために、ケーブル導管要素と共に使用するための逆目金具アッセンブリにおいて、
本体と、前記本体から伸張する１つ又は複数の逆目板腕部であって、ケーブル導管部分の端部に噛み付き係合して、ケーブル導管部分が前記ケーブル導管要素から外れることに抗する逆目板腕部と、を備えている逆目板と、
前記逆目板に力を加えることにより、前記逆目板及び１つ又は複数の逆目板腕部を係合解除位置から係合位置に動かす一方、前記力の解除により、前記逆目板及び１つ又は複数の逆目板腕部を前記係合位置から前記係合解除位置に動かす解除可能アッセンブリと、を備えている逆目金具アッセンブリ。
【請求項２】
前記係合位置では、前記逆目板はケーブル導管部分の端部に係合している、請求項１に記載の逆目金具アッセンブリ。
【請求項３】
前記解除可能アッセンブリを係合位置に操作すると、前記逆目板腕部の少なくとも１つがケーブル導管部分に噛み付き係合する、請求項１に記載の逆目金具アッセンブリ。
【請求項４】
前記解除可能アッセンブリは係合位置にあり、そのとき前記逆目板腕部の少なくとも１つはケーブル導管部分に噛み付き係合している、請求項１に記載の逆目金具アッセンブリ。
【請求項５】
前記解除可能アッセンブリを前記係合解除位置に操作すると、前記解除可能アッセンブリを前記係合解除位置まで付勢するばね付勢部材を更に備えている、請求項１に記載の逆目金具アッセンブリ。
【請求項６】
前記解除可能アッセンブリは、スコッチヨークアッセンブリを備え、
前記スコッチヨークアッセンブリは、
前記ケーブル導管要素に接続されているヨークであって、シャフトを受け入れて前記シャフトに作用するようになっているスロットを備えているヨークと、
前記シャフトに偏心して接続されている１つ又は複数の軸受であって、回転して前記逆目板に作用するようになっている軸受と、
１つ又は複数のアームであって、それぞれ前記軸受の１つに同心的に接続され、それぞれ回転するようになっているアームと
を備えている、請求項１に記載の逆目金具アッセンブリ。
【請求項７】
前記スコッチヨークアッセンブリを操作すると、前記解除可能アッセンブリが、工具を使用すること無く、前記係合解除位置と前記係合位置の間で作動する、請求項６に記載の逆目金具アッセンブリ。
【請求項８】
前記スコッチヨークアッセンブリを操作すると、前記解除可能アッセンブリが、前記逆目板に力を加え、前記力を加えることに応じて、前記逆目板及び１つ又は複数の逆目板腕部を、工具を使用すること無く係合解除位置から係合位置に動かす、請求項６に記載の逆目金具アッセンブリ。
【請求項９】
前記１つ又は複数のアームを回転させると、前記スロットが前記シャフトに作用し、前記軸受が前記逆目板に作用して前記逆目板に力を加え、前記力を加えることに応じて、前記逆目板及び１つ又は複数の逆目板腕部を、工具を使用すること無く係合解除位置から係合位置に動かす、請求項６に記載の逆目金具アッセンブリ。
【請求項１０】
前記解除可能アッセンブリは、カムバレルアッセンブリを備え、
前記カムバレルアッセンブリは、前記ケーブル導管要素に回転可能に接続されているカムバレルであって、前記逆目板本体の一部を受け入れて前記逆目板に作用するようになっているカムトラックを備えたカムバレルを備えている、請求項１に記載の逆目金具アッセンブリ。
【請求項１１】
前記カムバレルを操作すると、前記解除可能アッセンブリが、工具を使用すること無く、前記係合解除位置と前記係合位置の間で作動する、請求項１０に記載の逆目金具アッセンブリ。
【請求項１２】
前記カムバレルを操作すると、前記解除可能アッセンブリが、前記逆目板に力を加え、前記力を加えることに応じて、前記逆目板及び１つ又はそれ以上の逆目板腕部を、工具を使用すること無く係合解除位置から係合位置に動かす、請求項１０に記載の逆目金具アッセンブリ。
【請求項１３】
前記カムバレルから伸張する１つ又は複数のアームを更に備えている、請求項１０に記載の逆目金具アッセンブリ。
【請求項１４】
前記カムバレルを回転させると、前記カムトラックが、前記逆目板に作用して前記逆目板に力を加え、前記力を加えることに応じて、前記逆目板及び１つ又は複数の逆目板腕部を、工具を使用すること無く係合解除位置から係合位置に動かす、請求項１０に記載の逆目金具アッセンブリ。
【請求項１５】
前記解除可能アッセンブリは、レバーアッセンブリを備え、
前記レバーアッセンブリは、レバー及びレバー取付具を備え、
前記レバーは、レバー取付具支承面と逆目板に接する面を備えており、前記レバー取付具支承面は前記レバー取付具に作用するようになっており、前記逆目板に接する面は前記逆目板に作用するようになっているレバー及びレバー取付具を備えている、請求項１に記載の逆目金具アッセンブリ。
【請求項１６】
前記レバーを操作すると、前記解除可能アッセンブリが、工具を使用すること無く、前記係合解除位置と前記係合位置の間で作動する、請求項１５に記載の逆目金具アッセンブリ。
【請求項１７】
前記レバーを操作すると、前記解除可能アッセンブリが、前記逆目板に力を加え、前記力を加えることに応じて、前記逆目板及び１つ又はそれ以上の逆目板腕部を、工具を使用すること無く係合解除位置から係合位置に動かす、請求項１５に記載の逆目金具アッセンブリ。
【請求項１８】
前記レバーを操作すると、前記レバー取付具支承面が前記レバー取付具に作用し、前記逆目板に接する面が前記逆目板に作用して前記逆目板に力を加え、前記力を加えることに応じて、前記逆目板及び１つ又は複数の逆目板腕部を、工具を使用すること無く係合解除位置から係合位置に動かす、請求項１５に記載の逆目金具アッセンブリ。
【請求項１９】
ケーブル導管部分の端部を受け入れることができるケーブル導管要素において、
逆目金具アッセンブリを備えており、
前記逆目金具アッセンブリは、
本体と、前記本体から伸張する１つ又は複数の逆目板腕部であって、ケーブル導管部分の端部に噛み付き係合して、ケーブル導管部分が前記ケーブル導管要素から外れることに抗する逆目板腕部と、を備えている逆目板と、
前記逆目板に力を加えることにより、前記逆目板及び１つ又は複数の逆目板腕部を係合解除位置から係合位置に動かす一方、前記力の解除により、前記逆目板及び１つ又は複数の逆目板腕部を前記係合位置から前記係合解除位置に動かす解除可能アッセンブリと、を備えている、ケーブル導管要素。
【請求項２０】
係合位置では、前記逆目板はケーブル導管部分の端部に係合している、請求項１９に記載のケーブル導管要素。
【請求項２１】
前記解除可能アッセンブリを係合位置に操作すると、前記逆目板腕部の少なくとも１つがケーブル導管部分に噛み付き係合する、請求項１９に記載のケーブル導管要素。
【請求項２２】
前記解除可能アッセンブリは係合位置にあり、そのとき前記逆目板腕部の少なくとも１つはケーブル導管部分に噛み付き係合している、請求項１９に記載のケーブル導管要素。
【請求項２３】
前記逆目金具アッセンブリは、前記解除可能アッセンブリを前記係合解除位置に操作すると、前記解除可能アッセンブリを前記係合解除位置まで付勢するばね付勢部材を更に備えている、請求項１９に記載のケーブル導管要素。
【請求項２４】
前記ケーブル導管要素はケーブル導管カプラである、請求項１９に記載のケーブル導管要素。
【請求項２５】
前記ケーブル導管要素は、ケーブル導管リデューサ取付具である、請求項１９に記載のケーブル導管要素。
【請求項２６】
前記解除可能アッセンブリは、スコッチヨークアッセンブリを備え、
前記スコッチヨークアッセンブリは、
前記ケーブル導管要素に接続されたヨークであって、シャフトを受け入れて前記シャフトに作用するようになっているスロットを備えているヨークと、
前記シャフトに偏心して接続されている１つ又は複数の軸受であって、回転して前記逆目板に作用するようになっている軸受と、
１つ又は複数のアームであって、それぞれ前記軸受の１つに同心的に接続され、それぞれ回転するようになっているアームと
を備えている、請求項１９に記載のケーブル導管要素。
【請求項２７】
前記スコッチヨークアッセンブリを操作すると、前記解除可能アッセンブリが、工具を使用すること無く、前記係合解除位置と前記係合位置の間で作動する、請求項２６に記載のケーブル導管要素。
【請求項２８】
前記スコッチヨークアッセンブリを操作すると、前記解除可能アッセンブリが、前記逆目板に力を加え、前記力を加えることに応じて、前記逆目板及び１つ又はそれ以上の逆目板腕部を、工具を使用すること無く係合解除位置から係合位置に動かす、請求項２６に記載のケーブル導管要素。
【請求項２９】
前記１つ又はそれ以上のアームを回転させると、前記スロットが前記シャフトに作用し
、前記軸受が、前記逆目板に作用して前記逆目板に力を加え、前記力を加えることに応じて、前記逆目板及び１つ又は複数の逆目板腕部を、工具を使用すること無く係合解除位置から係合位置に動かす、請求項２６に記載のケーブル導管要素。
【請求項３０】
前記解除可能アッセンブリは、カムバレルアッセンブリを備え、
前記カムバレルアッセンブリは、前記ケーブル導管要素に回転可能に接続されているカムバレルであって、前記逆目板本体の一部を受け入れて前記逆目板に作用するようになっているカムトラックを備えたカムバレルを備えている、請求項１９に記載のケーブル導管要素。
【請求項３１】
前記カムバレルを操作すると、前記解除可能アッセンブリが、工具を使用すること無く、前記係合解除位置と前記係合位置の間で作動する、請求項３０に記載のケーブル導管要素。
【請求項３２】
前記カムバレルを操作すると、前記解除可能アッセンブリが、前記逆目板に力を加え、前記力を加えることに応じて、前記逆目板及び１つ又は複数の逆目板腕部を、工具を使用すること無く係合解除位置から係合位置に動かす、請求項３０に記載のケーブル導管要素。
【請求項３３】
前記カムバレルから伸張する１つ又は複数のアームを更に備えている、請求項３０に記載のケーブル導管要素。
【請求項３４】
前記カムバレルを回転させると、前記カム式スロットが、前記逆目板に作用して前記逆目板に力を加え、前記力を加えることに応じて、前記逆目板及び１つ又は複数の逆目板腕部を、工具を使用すること無く係合解除位置から係合位置に動かす、請求項３０に記載のケーブル導管要素。
【請求項３５】
前記解除可能アッセンブリは、レバーアッセンブリを備え、
前記レバーアッセンブリは、レバー及びレバー取付具を備え、
前記レバーは、レバー取付具支承面と逆目板に接する面を備えており、前記レバー取付具支承面は前記レバー取付具に作用するようになっており、前記逆目板に接する面は前記逆目板に作用するようになっている、請求項１９に記載のケーブル導管要素。
【請求項３６】
前記レバーを操作すると、前記解除可能アッセンブリが、工具を使用すること無く、前記係合解除位置と前記係合位置の間で作動する、請求項３５に記載のケーブル導管要素。
【請求項３７】
前記レバーを操作すると、前記解除可能アッセンブリが、前記逆目板に力を加え、前記力を加えることに応じて、前記逆目板及び１つ又は複数の逆目板腕部を、工具を使用すること無く係合解除位置から係合位置に動かす、請求項３５に記載のケーブル導管要素。
【請求項３８】
前記レバーを操作すると、前記レバー取付具支承面が前記レバー取付具に作用し、前記逆目板に接する面が、前記逆目板に作用して前記逆目板に力を加え、前記力を加えることに応じて、前記逆目板及び１つ又は複数の逆目板腕部を、工具を使用すること無く係合解除位置から係合位置に動かす、請求項３５に記載のケーブル導管要素。
【請求項３９】
ケーブル導管システムにおいて、
ケーブル導管システムは、
端部を備えているケーブル導管部分と、
逆目金具アッセンブリを備え且つケーブル導管部分の端部を受け入れることができるケーブル導管要素と、を備えており、
前記逆目金具アッセンブリは、
本体と、前記本体から伸張する１つ又は複数の逆目板腕部であって、前記ケーブル導管部分に噛み付き係合して、前記ケーブル導管部分が前記ケーブル導管要素から外れることに抗する逆目板腕部と、を備えている逆目板と、
前記逆目板に力を加えることにより、前記逆目板及び１つ又は複数の逆目板腕部を係合解除位置から係合位置に動かす一方、前記力の解除により、前記逆目板及び１つ又は複数の逆目板腕部を前記係合位置から前記係合解除位置に動かす解除可能アッセンブリと、を備えている、ケーブル導管システム。
【請求項４０】
前記係合位置では、前記逆目板はケーブル導管部分の端部に係合している、請求項３９に記載のケーブル導管システム。
【請求項４１】
前記解除可能アッセンブリを係合位置に操作すると、前記逆目板腕部の少なくとも１つがケーブル導管部分に噛み付き係合する、請求項３９に記載のケーブル導管システム。
【請求項４２】
前記解除可能アッセンブリは係合位置にあり、そのとき前記逆目板腕部の少なくとも１つはケーブル導管部分に噛み付き係合している、請求項３９に記載のケーブル導管システム。
【請求項４３】
前記逆目金具アッセンブリは、前記解除可能アッセンブリを前記係合解除位置に操作すると、前記解除可能アッセンブリを前記係合解除位置まで付勢するばね付勢部材を更に備えている、請求項３９に記載のケーブル導管システム。
【請求項４４】
前記ケーブル導管要素は、ケーブル導管カプラである、請求項３９に記載のケーブル導管システム。
【請求項４５】
前記ケーブル導管要素は、ケーブル導管リデューサ取付具である、請求項３９に記載のケーブル導管システム。
【請求項４６】
前記解除可能アッセンブリは、スコッチヨークアッセンブリを備え、
前記スコッチヨークアッセンブリは、
前記ケーブル導管要素に接続されたヨークであって、シャフトを受け入れて前記シャフトに作用するようになっているスロットを備えているヨークと、
前記シャフトに偏心して接続されている１つ又は複数の軸受であって、回転して前記逆目板に作用するようになっている軸受と、
１つ又は複数のアームであって、それぞれ前記軸受の１つに同心的に接続され、それぞれ回転するようになっているアームと
を備えている、請求項３９に記載のケーブル導管システム。
【請求項４７】
前記スコッチヨークアッセンブリを操作すると、前記解除可能アッセンブリが、工具を使用すること無く、前記係合解除位置と前記係合位置の間で作動する、請求項４６に記載のケーブル導管システム。
【請求項４８】
前記スコッチヨークアッセンブリを操作すると、前記解除可能アッセンブリが、前記逆目板に力を加え、前記力を加えることに応じて、前記逆目板及び１つ又は複数の逆目板腕部を、工具を使用すること無く係合解除位置から係合位置に動かす、請求項４６に記載のケーブル導管システム。
【請求項４９】
前記１つ又は複数のアームを回転させると、前記スロットが前記シャフトに作用し、前記軸受が、前記逆目板に作用して前記逆目板に力を加え、前記力を加えることに応じて、前記逆目板及び１つ又は複数の逆目板腕部を、工具を使用すること無く係合解除位置から係合位置に動かす、請求項４６に記載のケーブル導管システム。
【請求項５０】
前記解除可能アッセンブリは、カムバレルアッセンブリを備え、
前記カムバレルアッセンブリは、前記ケーブル導管要素に回転可能に接続されたカムバレルであって、前記逆目板本体の一部を受け入れて前記逆目板に作用するようになっているカムトラックを備えたカムバレルを備えている、請求項３９に記載のケーブル導管システム。
【請求項５１】
前記カムバレルを操作すると、前記解除可能アッセンブリが、工具を使用すること無く、前記係合解除位置と前記係合位置の間で作動する、請求項５０に記載のケーブル導管システム。
【請求項５２】
前記カムバレルを操作すると、前記解除可能アッセンブリが、前記逆目板に力を加え、前記力を加えることに応じて、前記逆目板及び１つ又は複数の逆目板腕部を、工具を使用すること無く係合解除位置から係合位置に動かす、請求項５０に記載のケーブル導管システム。
【請求項５３】
前記カムバレルから伸張する１つ又は複数のアームを更に備えている、請求項５０に記載のケーブル導管システム。
【請求項５４】
前記カムバレルを回転させると、前記カムトラックが、前記逆目板に作用して前記逆目板に力を加え、前記力を加えることに応じて、前記逆目板及び１つ又は複数の逆目板腕部を、工具を使用すること無く係合解除位置から係合位置に動かす、請求項５０に記載のケーブル導管システム。
【請求項５５】
前記解除可能アッセンブリは、レバーアッセンブリを備え、
前記レバーアッセンブリは、レバー及びレバー取付具を備え、
前記レバーは、レバー取付具支承面と逆目板に接する面とを備えており、前記レバー取付具支承面は前記レバー取付具に作用するようになっており、前記逆目板に接する面は前記逆目板に作用するようになっている、請求項３９に記載のケーブル導管システム。
【請求項５６】
前記レバーを操作すると、前記解除可能アッセンブリが、工具を使用すること無く、前記係合解除位置と前記係合位置の間で作動する、請求項５５に記載のケーブル導管システム。
【請求項５７】
前記レバーを操作すると、前記解除可能アッセンブリが、前記逆目板に力を加え、前記力を加えることに応じて、前記逆目板及び１つ又は複数の逆目板腕部を、工具を使用すること無く係合解除位置から係合位置に動かす、請求項５５に記載のケーブル導管システム。
【請求項５８】
前記レバーを操作すると、前記レバー取付具支承面が前記レバー取付具に作用し、前記逆目板に接する面が、前記逆目板に作用して前記逆目板に力を加え、前記力を加えることに応じて、前記逆目板及び１つ又は複数の逆目板腕部を、工具を使用すること無く係合解除位置から係合位置に動かす、請求項５５に記載のケーブル導管システム。
【請求項５９】
ケーブル導管システムを組み立てるための方法において、
端部を備えたケーブル導管部分を用意する段階と、
逆目金具アッセンブリを備え且つ前記ケーブル導管部分の前記端部を受け入れることができるケーブル導管要素を用意する段階であって、前記逆目金具アッセンブリは、
本体と、前記本体から伸張する１つ又は複数の逆目板腕部であって、前記ケーブル導管部分の前記端部に噛み付き係合して、前記ケーブル導管部分の前記端部が前記ケーブル導管要素から外れることに抗する逆目板腕部と、を備えている逆目板と、
前記逆目板に力を加えることにより、前記逆目板及び１つ又は複数の逆目板腕部を係合解除位置から係合位置に動かす一方、前記力の解除により、前記逆目板及び１つ又は複数の逆目板腕部を前記係合位置から前記係合解除位置に動かす解除可能アッセンブリと、を備えている、ケーブル導管要素を用意する段階と、
前記ケーブル導管部分の前記端部を前記ケーブル導管要素に挿入する段階と、
工具を使用すること無く前記解除可能アッセンブリを前記係合位置に操作する段階と、から成る方法。
【請求項６０】
前記解除可能アッセンブリを前記係合解除位置に操作すると、前記解除可能アッセンブリを前記係合解除位置まで付勢する段階を更に含んでいる、請求項５９に記載の方法。
【請求項６１】
前記ケーブル導管要素は、ケーブル導管カプラである、請求項５９に記載の方法。
【請求項６２】
前記ケーブル導管要素は、ケーブル導管リデューサ取付具である、請求項５９に記載の方法。
【請求項６３】
前記解除可能アッセンブリは、スコッチヨークアッセンブリを備え、
前記スコッチヨークアッセンブリは、
前記ケーブル導管要素に接続されたヨークであって、シャフトを受け入れて前記シャフトに作用するようになっているスロットを備えているヨークと、
前記シャフトに偏心して接続されている１つ又は複数の軸受であって、回転して前記逆目板に作用するようになっている軸受と、
１つ又は複数のアームであって、それぞれ前記軸受の１つに同心的に接続され、それぞれ回転するようになっているアームと
を備えている、請求項５９に記載の方法。
【請求項６４】
前記スコッチヨークアッセンブリを操作すると、前記解除可能アッセンブリが、工具を使用すること無く、前記係合解除位置と前記係合位置の間で作動する、請求項６３に記載の方法。
【請求項６５】
前記スコッチヨークアッセンブリを操作すると、前記解除可能アッセンブリが、前記逆目板に力を加え、前記力を加えることに応じて、前記逆目板及び１つ又は複数の逆目板腕部を、工具を使用すること無く係合解除位置から係合位置に動かす、請求項６３に記載の方法。
【請求項６６】
前記１つ又は複数のアームを回転させると、前記スロットが前記シャフトに作用し、前
記軸受が、前記逆目板に作用して前記逆目板に力を加え、前記力を加えることに応じて、前記逆目板及び１つ又は複数の逆目板腕部を、工具を使用すること無く係合解除位置から係合位置に動かす、請求項６３に記載の方法。
【請求項６７】
前記解除可能アッセンブリは、カムバレルアッセンブリを備え、
前記カムバレルアッセンブリは、前記ケーブル導管要素に回転可能に接続されたカムバレルであって、前記逆目板本体の一部を受け入れて前記逆目板に作用するようになっているカムトラックを備えたカムバレルを備えている、請求項５９に記載の方法。
【請求項６８】
前記カムバレルを操作すると、前記解除可能アッセンブリが、工具を使用すること無く、前記係合解除位置と前記係合位置の間で作動する、請求項６７に記載の方法。
【請求項６９】
前記カムバレルを操作すると、前記解除可能アッセンブリが、前記逆目板に力を加え、前記力を加えることに応じて、前記逆目板及び１つ又は複数の逆目板腕部を、工具を使用すること無く係合解除位置から係合位置に動かす、請求項６７に記載の方法。
【請求項７０】
前記カムバレルから伸張する１つ又は複数のアームを更に備えている、請求項６７に記載の方法。
【請求項７１】
前記カムバレルを回転させると、前記カムトラックが、前記逆目板に作用して前記逆目板に力を加え、前記力を加えることに応じて、前記逆目板及び１つ又は複数の逆目板腕部を、工具を使用すること無く係合解除位置から係合位置に動かす、請求項６７に記載の方法。
【請求項７２】
前記解除可能アッセンブリは、レバーアッセンブリを備え、
前記レバーアッセンブリは、レバー及びレバー取付具を備え、
前記レバーは、レバー取付具支承面と逆目板に接する面とを備えており、前記レバー取付具支承面は前記レバー取付具に作用するようになっており、前記逆目板に接する面は前記逆目板に作用するようになっている、請求項５９に記載の方法。
【請求項７３】
前記レバーを操作すると、前記解除可能アッセンブリが、工具を使用すること無く、前記係合解除位置と前記係合位置の間で作動する、請求項７２に記載の方法。
【請求項７４】
前記レバーを操作すると、前記解除可能アッセンブリが、前記逆目板に力を加え、前記力を加えることに応じて、前記逆目板及び１つ又は複数の逆目板腕部を、工具を使用すること無く係合解除位置から係合位置に動かす、請求項７２に記載の方法。
【請求項７５】
前記レバーを操作すると、前記レバー取付具支承面が前記レバー取付具に作用し、前記逆目板に接する面が、前記逆目板に作用して前記逆目板に力を加え、前記力を加えることに応じて、前記逆目板及び１つ又は複数の逆目板腕部を、工具を使用すること無く係合解除位置から係合位置に動かす、請求項７２に記載の方法。
【請求項７６】
ケーブル導管システムを組み立てるための方法において、
端部を備えたケーブル導管部分を用意する段階と、
前記ケーブル導管部分の端部を受け入れることができ且つ前記ケーブル導管部分を逆目板に係合させることができるケーブル導管要素を用意する段階と、
前記ケーブル導管部分の前記端部を前記ケーブル導管要素に挿入する段階と、
前記逆目板に力を加えることにより、前記逆目板及び１つ又は複数の逆目板腕部を係合解除位置から係合位置に動かす一方、前記力の解除により、前記逆目板及び１つ又は複数の逆目板腕部を前記係合位置から前記係合解除位置に動かす解除可能アッセンブリを操作して前記ケーブル導管部分を前記逆目板に係合させる段階と、から成る方法。
【請求項７７】
前記逆目板は、前記ケーブル導管部分が前記ケーブル導管要素から外れるのに抗する、請求項７６に記載の方法。
【請求項７８】
逆目板を用いてケーブル導管部分を連結及び連結解除させるためのスコッチヨークアッセンブリと基部とを備えたケーブル導管要素であって、
前記スコッチヨークアッセンブリは、
前記基部に接続されているヨークであって、シャフトを受け入れて前記シャフトに作用するようになっているスロットを備えているヨークと、
前記シャフトに偏心して接続されている１つ又は複数の軸受であって、回転して前記逆目板に作用するようになっている軸受と、
１つ又は複数のアームであって、それぞれ前記軸受の１つに同心的に接続され、それぞれ回転するようになっているアームと
を備えているケーブル導管要素。
【請求項７９】
逆目板をケーブル導管部分の端部に係合及び係合解除させるためのスコッチヨークアッセンブリと基部とを備えたケーブル導管要素であって、
前記スコッチヨークアッセンブリは、
前記基部に接続されているヨークであって、シャフトを受け入れて前記シャフトに作用するようになっているスロットを備えているヨークと、
前記シャフトに偏心して接続されている１つ又は複数の軸受であって、回転して前記逆目板に作用するようになっている軸受と、
１つ又は複数のアームであって、それぞれ前記軸受の１つに同心的に接続され、それぞれ回転するようになっているアームと
を備えているケーブル導管要素。
【請求項８０】
逆目板をケーブル導管部分の端部に係合及び係合解除させるためのカムバレルアッセンブリと基部とを備えたケーブル導管要素であって、
前記カムバレルアッセンブリは、前記基部に回転可能に接続されているカムバレルであって、前記逆目板の本体の一部を受け入れて前記逆目板に作用するようになっているカムトラックを備えたカムバレルを備えているケーブル導管要素。
【請求項８１】
逆目板を用いてケーブル導管部分を連結及び連結解除させるためのレバーアッセンブリを備えているケーブル導管要素であって、
前記レバーアッセンブリは、レバー及びレバー取付具を備え、
前記レバーは、レバー取付具支承面と逆目板に接する面を備えており、前記レバー取付具支承面は前記レバー取付具に作用するようになっており、前記逆目板に接する面は前記逆目板に作用するようになっているケーブル導管要素。
【請求項８２】
逆目板をケーブル導管部分の端部に係合及び係合解除させるためのレバーアッセンブリを備えているケーブル導管要素であって、
前記レバーアッセンブリは、レバー及びレバー取付具を備え、
前記レバーは、レバー取付具支承面と逆目板に接する面を備えており、前記レバー取付具支承面は前記レバー取付具に作用するようになっており、前記逆目板に接する面は前記逆目板に作用するようになっているケーブル導管要素。
【発明の詳細な説明】
【技術分野】
【０００１】
本発明は、導管式ケーブル経路決めシステムの分野に関する。より厳密には、本発明は、解除可能逆目金具アッセンブリを使用して工具を使うこと無く迅速にアッセンブリすることのできる取付具に関する。
【背景技術】
【０００２】
本出願は、２００３年３月２７日出願の米国仮特許出願第６０／４５８，１３９号、２００３年７月２日出願の米国仮特許出願第６０／４８４，４０５号、２００３年７月２日出願の米国仮特許出願第６０／４８４，４２９号、並びに２００３年８月８日出願の米国仮特許出願第６０／４９３，６５６号の恩典を請求し、上記各仮特許出願の内容全体をここに参考文献として援用する。
【０００３】
配線導管システムは、最近、データ、音声、映像、光ファイバー及び／又は電力のケーブルの経路決め、保護、隠蔽に非常に広く使われるようになってきた。このシステムを使えば、特注仕様の敷設を行うことができ、また壁の内部や外面に設けることができ、敷設のやり直し、修理、又は追加設備の設置の場合に容易にアクセスすることができる。この様なシステムは、通常、直線部分、及び９０度Ｌ型取付具、４５度Ｌ型取付具、Ｔ型取付具、四方向（Ｘ型）取付具などの様な各種取付具を含め、様々な導管又は配線管の部分を備えており、各部品が導管カプラにより一体に取り付けられ全体として導管システムを形成する。
【０００４】
米国特許第６，６３４，６０５号、６，５２３，７９１号、６，４５０，４５８号及び６，５５９，３７８号には、ケーブル導管カプラ及び他のケーブル導管取付具の例及びその一般的背景が記載されているが、上記特許の全内容を、ここに完全に記述したものとして参考文献として援用する。米国特許第５，３１６，２４３号（ＡＤＣテレコミュニケーション社に譲渡）には、ケーブル経路決めシステムの一般的背景並びに環境が記載されており、同発行済み特許の明細書の内容を、ここに完全に記述したものとして参考文献として援用する。
【０００５】
このような配線導管システムの数が増え精巧さが向上してきたことにより、そのようなシステムに設置される導管カプラと取付具の個数もまた飛躍的に増えている。従って、設置が容易で安価に製造することができ、不用意に分解してしまうことのないように「引き抜き」力に対する抵抗が比較的強いカプラ及び取付具を提供することが重要である。
【０００６】
これまでの設計では、カプラの性能に材料劣化を発生させること無く、「係合」位置と「係合解除」位置の間で反復的に動かすことができる逆目金具を備えたケーブル用逆目金具カプラが開示されている。しかしながら、第１モードと第２モードの間の切り替えには、逆目金具の位置を調整するために工具を使用する必要があった。これまでの設計は先行技術に対する改良ではあったが、別の工具を使用する必要なしに、同じ利点を提供できる製品を提供できれるのであれば更なる改善となる。本発明は、ケーブル導管カプラが、カプラの性能を劣化させること無く且つ別の工具を使用する必要無しに、第１の「係合」モードと第２の「係合解除」モードの間で、選択的及び反復的に切り替えができるようにしている点で意義がある。
【特許文献１】米国仮特許出願第６０／４５８，１３９号
【特許文献２】米国仮特許出願第６０／４８４，４０５号
【特許文献３】米国仮特許出願第６０／４８４，４２９号
【特許文献４】米国仮特許出願第６０／４９３，６５６号
【特許文献５】米国特許第６，６３４，６０５号
【特許文献６】米国特許第６，５２３，７９１号
【特許文献７】米国特許第６，４５０，４５８号
【特許文献８】米国特許第６，５５９，３７８号
【特許文献９】米国特許第５，３１６，２４３号
【発明の開示】
【課題を解決するための手段】
【０００７】
或る実施形態では、ケーブル導管部分がケーブル導管要素から外れるのを防ぐために、ケーブル導管要素と共に使用するための逆目金具アッセンブリが提供されており、同逆目金具アッセンブリは、本体と、この本体から伸張する１つ又は複数の逆目板腕部であって、ケーブル導管部分の端部に噛み付き係合して、ケーブル導管部分がケーブル導管要素から外れることに抗する逆目板腕部とを備えている逆目板と；逆目板に力を加え、この力を加えることに応じて、逆目板及び１つ又は複数の逆目板腕部を、工具を使用すること無く係合解除位置から係合位置に動かすための解除可能アッセンブリと、を備えている。
【０００８】
別の実施形態では、ケーブル導管部分の端部を受け入れることができるケーブル導管要素が提供されており、同ケーブル導管要素は、本体と、この本体から伸張する１つ又は複数の逆目板腕部であって、ケーブル導管部分の端部に噛み付き係合して、ケーブル導管部分がケーブル導管要素から外れることに抗する逆目板腕部とを備えている逆目板と；逆目板に力を加え、この力を加えることに応じて、逆目板及び１つ又は複数の逆目板腕部を、工具を使用すること無く係合解除位置から係合位置に動かすための解除可能アッセンブリと、を備えた逆目金具アッセンブリを備えている。
【０００９】
別の実施形態では、端部を有するケーブル導管部分と、逆目金具アッセンブリを備えケーブル導管部分の端部を受け入れることができるケーブル導管要素と、を備えたケーブル導管システムが提供されており、この逆目金具アッセンブリは、本体と、この本体から伸張する１つ又は複数の逆目板腕部であって、ケーブル導管部分の端部に噛み付き係合して、ケーブル導管部分がケーブル導管要素から外れることに抗する逆目板腕部とを備えている逆目板と；逆目板に力を加え、この力を加えることに応じて、逆目板及び１つ又は複数の逆目板腕部を、工具を使用すること無く係合解除位置から係合位置に動かすための解除可能アッセンブリと、を備えている。
【００１０】
別の実施形態では、ケーブル導管システムを組み立てるための方法が提供されており、同方法は、端部を備えたケーブル導管部分を用意する段階と；逆目金具アッセンブリを備えケーブル導管部分の端部を受け入れることができるケーブル導管要素を用意する段階であって、この逆目金具アッセンブリは、本体と、この本体から伸張する１つ又は複数の逆目板腕部であって、ケーブル導管部分の端部に噛み付き係合して、ケーブル導管部分の端部がケーブル導管要素から外れることに抗する逆目板腕部とを備えている逆目板と；逆目板に力を加え、この力を加えることに応じて、逆目板及び１つ又は複数の逆目板腕部を、工具を使用すること無く係合解除位置から係合位置に動かすための解除可能アッセンブリと、を備えている、ケーブル導管要素を用意する段階と；ケーブル導管部分の端部をケーブル導管要素に挿入する段階と；工具を使用すること無く解除可能アッセンブリを係合位置に操作する段階とから成る方法である。
【００１１】
別の実施形態では、ケーブル導管システムを組み立てるための方法が提供されており、同方法は、端部を備えたケーブル導管部分を用意する段階と；ケーブル導管部分の端部を受け入れることができ且つケーブル導管部分を逆目板に係合させることができるケーブル導管要素を用意する段階と；ケーブル導管部分の端部をケーブル導管要素に挿入する段階と；工具を使用すること無く解除可能アッセンブリを操作して逆目板に力を加え、この力を加えることに応じて、ケーブル導管部分を逆目板に係合させる段階とから成る方法である。
【００１２】
別の実施形態では、スコッチヨークアッセンブリを備えたケーブル導管要素が提供されている。
別の実施形態では、ケーブル導管部分を連結及び連結解除させるためのスコッチヨークアッセンブリを備えたケーブル導管要素が提供されている。
【００１３】
別の実施形態では、逆目板をケーブル導管部分の端部に係合及び係合解除させるためのスコッチヨークアッセンブリを備えたケーブル導管要素が提供されている。
別の実施形態では、カムバレルアッセンブリを備えたケーブル導管要素が提供されている。
【００１４】
別の実施形態では、ケーブル導管部分を連結及び連結解除させるためのカムバレルアッセンブリを備えたケーブル導管要素が提供されている。
別の実施形態では、逆目板をケーブル導管部分の端部に係合及び係合解除させるためのカムバレルアッセンブリを備えたケーブル導管要素が提供されている。
【００１５】
別の実施形態では、レバーアッセンブリを備えたケーブル導管要素が提供されている。
別の実施形態では、ケーブル導管部分を連結及び連結解除させるためのレバーアッセンブリを備えたケーブル導管要素が提供されている。
【００１６】
別の実施形態では、逆目板をケーブル導管部分の端部に係合及び係合解除させるためのレバーアッセンブリを備えたケーブル導管要素が提供されている。
別の実施形態では、カムアッセンブリを備えたケーブル導管要素が提供されている。
【００１７】
別の実施形態では、ケーブル導管部分を連結及び連結解除させるためのカムアッセンブリを備えたケーブル導管要素が提供されている。
別の実施形態では、逆目板をケーブル導管部分の端部に係合及び係合解除させるためのカムアッセンブリを備えたケーブル導管要素が提供されている。
【発明を実施するための最良の形態】
【００１８】
以下、図面を参照しながら、本発明の実施例について説明する。
ここに説明し請求する解除可能逆目金具アッセンブリは、ケーブル導管システムの要素を接続及び切断するための新規改良型の構造及び技法を提供する。ここに説明し請求する改良型の逆目金具アッセンブリは、カプラ又は取付具の様なケーブル導管要素に取り付けることができ、ケーブル導管要素に挿入された導管、配線管、樋、又は他の取付具（集合的に「導管部分」）に選択的に係合又は係合解除させることができる。具体的には、逆目金具アッセンブリの実施形態は、逆目板に高度に制御可能且つ解除可能な下向きの力を加えて、逆目板をケーブル経路決めシステムの導管部分に係合させることができる。
【００１９】
ここに説明し請求する改良点は、逆目板に連結された解除可能アッセンブリを使用することにより可能になる、逆目板の係合位置から係合解除位置への解除可能性に関わる。解除可能アッセンブリによって多くの利点がもたらされる。解除可能アッセンブリを使えば、回線又は導管を、回線を傷つけること無くカプラから取り外すことができる。その結果、新しい回線を使用する必要無しに、ケーブル経路決めシステムに変更を加えることができる。更に、工具を使う必要無しに、回線の取り外しが行える。これにより人件費が節約できる。
【００２０】
特定の実施形態の幾例かを以下に記載する。なお、ここに説明する装置は、全て例示のみを目的としている旨理解されたい。従って、当業者には自明のように、他の装置及び他のアッセンブリも考えられるものと理解されたい。
１．レバー操作式解除可能逆目金具アッセンブリの実施形態
この実施形態は、レバー操作式解除可能逆目金具アッセンブリに着眼している。解除可能逆目金具アッセンブリは、ケーブル経路決めシステムの１つ又は複数の構成要素に係合及び係合解除させるため、例えばケーブル導管カプラの様な他の要素の構成部分として都合良く使用することができる。
【００２１】
図１から図５は、レバー操作式解除可能逆目金具アッセンブリの各種実施形態を示している。図１は、カプラの様なケーブル導管要素に使用するためのレバー操作式解除可能逆目金具アッセンブリ２１０の第１の実施形態の分解図を示している。ケーブル導管要素には、逆目板２３０を支え、内部にねじ穴１６が切られた逆目板取付台２２４が設けられている。逆目板２３０は、逆目板本体部２１２に対して９０度よりも大きな角度で折り返され互いに向かって斜めに曲がっている一対の逆目板腕部２４０を含んでいる。逆目板本体２１２は、更に、逆目板腕部２４０の角度と同じ角度で本体から伸張している少なくとも１つのばねタブ２３６を含んでいる。逆目板本体２１２は、逆目板取付台２２４に取り付けることができる。レバー取付具２８は、逆目板２３０の開口部３０を貫通して、例えば孔１６を介して逆目板取付台２２４に接続される。逆目板２３０は、その逆目板腕部２４０の遠位端に鋸歯状の縁部３６を有している。
【００２２】
レバー取付具２８には、レバー４０の取付具として機能できるようにするためフック状の端部３８が設けられている。レバー４０は、一方の端部に湾曲した部分４２を含んでおり、湾曲した部分にはレバー取付支承面４４とスロット４６がある。レバー４０をレバー取付具２８に装着するには、レバー４０の面４４を、レバー取付具２８のフック状の端部３８に挿入する。レバー４０は、更に、湾曲した部分から伸張する操作用のタブ又はアーム２２２を含んでいる。アーム２２２を使ってレバー４０を動かすと、その結果、逆目板２３０が係合位置と係合解除位置の間を動く。
【００２３】
図２Ａ、図２Ｂ、図２Ｃは、解除可能逆目金具アッセンブリ２１０の使用時の状態を示す断面図である。図２Ａの実施形態は、逆目板２３０が係合位置にある状態を示している。レバー４０の面４４はレバー取付具２８のフック状の端部３８に挿入されており、アーム２２２は逆目板本体２１２に向かう方向に押し付けられている。この動作によって、ばねタブ２３６はケーブル導管要素上の支持棚２３８に押し付けられ、ばねタブ２３６に張力の掛かった状態になる。
【００２４】
図２Ｂは、逆目板２３０が係合位置にあって、回線又は導管５４に逆目板２３０が係合している状態を示している。
図２Ｃの実施形態は、逆目板２３０が係合解除位置にあって、回線又は導管５４が係合解除又は取り外された状態を示している。回線を解放する場合、レバー４０をレバー取付具２８回りに回転させ、レバー４０のアーム２２２を逆目板本体２１２から離れる方向に動かす。この動作によって、レバー４０が逆目板本体２１２及びばねタブ２３６に加えていた力が緩められる。レバー４０を回転させると逆目板２３０が解放され、回線５４を、逆目板２３０の鋸歯状縁部３６による損傷を受けること無く係合解除又は取り外すことができるようになる。
【００２５】
逆目板２３０を係合解除位置から係合位置に戻す場合、レバー４０をレバー取付具２８回りに再度回転させ、レバー４０のアーム２２２を逆目板本体２１２に向かう方向に動かす。回転させると、レバー４０は、逆目板２３０に力を加えて、これをケーブル導管要素の壁部５８に向けて動かす。また、ばねタブ２３６は張力の掛かった状態になる。
【００２６】
図２Ａ、図２Ｂ、図２Ｃは、レバー４０の或る実施形態を示している。レバー６０の代わりの実施形態を図３に示しているが、主要な違いは、レバーの湾曲部分６２に平坦領域６４が設けられている点である。レバー６０をレバー取付具回りに回転させて逆目板２３０を係合位置に動かすと、平坦領域６４が逆目板本体２１２に当たって押し付ける。丸い形状ではなく平坦な形状にすることにより、この平坦領域６４が、レバー６０の偶発的又は不慮の回転に抵抗することになる。
【００２７】
図４と図５は、解除可能逆目金具アッセンブリ２１０の第２の実施形態を示している。図４及び図５の解除可能逆目金具アッセンブリ２１０は、図１から図３のものとは、レバー１４０とレバー取付具１２８の間の連結の型式が異なっている。この場合も、レバー取付具１２８は、逆目板２３０の穴１３０を貫通し、逆目板取付台２２４の雌ねじ孔１１６に嵌る雄ねじ締結部を含んでいる。ばね１６５は、逆目板取付台２２４の中に設けられている。図４から分かるように、レバー取付具１２８には、更に貫通孔１６６が貫通形成されている。
【００２８】
レバー１４０には、一方の端部に２つの湾曲部材１６８が設けられ、各湾曲部材には孔１７０が貫通形成されており、湾曲部材から操作タブ１７２が伸びている。レバー１４０をレバー取付具１２８に連結するには、ピン１７４を、一方の湾曲部材１６８の孔１７０に挿入し、レバー取付具１２８の貫通孔１６６に通し、次いでもう一方の湾曲部材１６８の孔１７０に通す。
【００２９】
逆目板２３０を係合位置（図５に図示）と係合解除位置の間で動かす場合は、レバー１４０をレバー取付具１２８回りに回転させる。係合位置では、レバー１４０は、逆目板２３０を押し付けて、ばね１６５を圧縮し、逆目板２３０をケーブル導管要素の壁１５８に向けて動かす。係合解除位置では、レバー１４０は逆目板２３０に全く力を掛けず、ばね１６５が逆目板２３０を押す。その結果、逆目板２３０は解放され、回線１５４は損傷を受けること無く取り外すことができるようになる。
２．代わりのレバー操作式解除可能逆目金具アッセンブリの実施形態
この実施形態は、代わりのレバー操作式解除可能逆目金具アッセンブリに着眼している。この解除可能逆目金具アッセンブリは、ケーブル経路決めシステムの別の構成要素に係合及び係合解除させるための、例えばカプラ又はケーブル導管リデューサ取付具の様な別の要素の構成部分として好都合に使用することができる。
【００３０】
図６から図８は、代わりのレバー操作式解除可能逆目金具アッセンブリの或る実施形態を示している。図６の実施形態に示すように、代わりのレバー操作式解除可能逆目金具アッセンブリ２１０は、逆目板２３０、側壁２４４及びアーム２２２を備えている。或る実施形態では、解除可能逆目金具アッセンブリ２１０は、リデューサ取付具２４６の様なケーブル経路決めシステム内の別の構成要素の一部である。
【００３１】
図７Ａと図７Ｂは、図６の解除可能逆目金具アッセンブリ２１０の一部を示している。図７Ａ及び図７Ｂの実施形態では、逆目板２３０は、逆目板本体部分２１２と、この逆目板本体部２１２に対して９０度よりも大きな角度で折り返された逆目板腕部２４０を含んでいる。逆目板本体２１２の一部は、リデューサ取付具２４６の様なケーブル経路決め要素の片持ち梁部分２４８に固定係合されている。また、アーム２２２は、カム２２０に接続されていてカム２２０を回転させ易くしている。このカム２２０は、少なくとも１つの枢軸２１５を備えている。図７Ａと図７Ｂは、更に、解除可能逆目金具アッセンブリ２１０を係合させることのできるケーブル経路決めシステムの構成要素２３４を示している。
【００３２】
図７Ａと図７Ｂの実施形態では、カム２２０は、枢軸２１５の中心から偏心即ちずれており、大きな半径寸法２５０と小さな半径寸法２５２とを備えている。従って、カム２２０を枢軸２１５回りに回転させると、カム２２０は逆目板本体２１２に作用する。例えば、大きな半径寸法部２５０を逆目板本体２１２に向けて、又はこれから離れるように回転させると、逆目板本体２１２は、それぞれ、要素２３４及び／又は逆目金具アッセンブリ基部２２４に向かって、又はこれから離れる方向に動くことになる。
【００３３】
図７Ａの実施形態では、逆目板本体２１２は、カム２２０に小さい半径寸法部２５２の位置付近で正接している。カム２２０をこの位置に向けて回転させると、逆目板本体２１２は、逆目金具アッセンブリ基部２２４（及び／又は要素２３４）から離れる方向に、係合解除位置に向かって動くことになる。或る実施形態では、片持ち梁部２４８は、逆目板本体２１２に、逆目板本体２１２が逆目金具アッセンブリ基部２２４（及び／又は要素２３４）から離れる方向に、係合解除位置に向けて動くように力を加える。係合解除位置では、一般的に、要素２３４を解除可能逆目金具アッセンブリ２１０に挿入し、又はそこから取り出すことができる。
【００３４】
図７Ｂの実施形態では、逆目板本体２１２は、カム２２０に大きな半径寸法部２５０の位置付近で正接している。カム２２０をこの位置に向けて回転させると、逆目板本体２１２は、逆目金具アッセンブリ基部２２４（及び／又は要素２３４）に近づく方向に、閉鎖位置に向かって動くことになる。或る実施形態では、カム２２０の大きな半径寸法部２５０を閉鎖位置に向けて回転させると、片持ち梁部２４８が逆目板本体２１２に作用させる如何なる力にも打ち勝つ。閉鎖位置では、一般的に、逆目板腕部２４０は、要素２３４が解除可能逆目金具アッセンブリ２１０から取り外されるのに抵抗する。
【００３５】
図７Ａと図７Ｂの実施形態では、アーム２２２、カム２２０及び枢軸２１５は、閉鎖位置と係合解除位置の間で回転して、逆目板本体２１２が逆目金具アッセンブリ基部２２４及び／又は要素２３４に近付くか又は遠ざかる方向に動くか又は動けるようにする。例えば、アーム２２２を第１方向に回転させると、カム２２０は逆目板本体２１２に作用して、逆目板本体２１２が逆目金具アッセンブリ基部２２４及び／又は要素２３４に近付くか又は近付けるようにする。また、アーム２２２を第２方向に回転させると、カム２２０は逆目板本体２１２に作用して、逆目板本体２１２が逆目金具アッセンブリ基部２２４及び／又は要素２３４から遠ざかる方向に動くか又は動けるようにする。或る実施形態では、アーム２２２を係合解除位置又は係合位置まで回転させ、解除可能逆目金具アッセンブリ２１０をどちらの位置にも係止できるようになっている。
【００３６】
アーム２２２を閉鎖位置まで回転させると、逆目板腕部２４０は、要素２３４に噛み付き係合する。その後、引張「引き抜き」力が要素２３４に掛けられると、逆目板腕部２４０（例えば、鋸歯状の縁部を有する）が要素２３４に食い込み、及び／又は要素２３４の動きに対抗する。逆目板２３０は、こうして、要素２３４が解除可能逆目金具アッセンブリ２１０又は逆目金具アッセンブリ基部２２４から離れるのに抵抗する。
【００３７】
図８は、図７Ａと図７Ｂの解除可能逆目金具アッセンブリ２１０の細部を示している。図８の実施形態に示すように、解除可能逆目金具アッセンブリ２１０は少なくとも１つの枢軸ボス２５４も備えている。枢軸ボス２５４は、例えば、解除可能逆目金具アッセンブリ２１０の側壁２４４の一部である。更に、枢軸ボス２５４は各枢軸２１５と係合して、或る実施形態では、枢軸２１５及び従ってカム２２０が係合解除位置と閉鎖位置の間で回転できるようにしながら、枢軸２１５の非回転運動には抵抗する。
３．スコッチヨーク操作式解除可能逆目金具アッセンブリの実施形態
この実施形態は、スコッチヨーク操作式解除可能逆目金具アッセンブリに着眼している。この解除可能逆目金具アッセンブリは、ケーブル経路決めシステムの１つ又は複数の構成要素に係合及び係合解除させるための、例えばケーブル導管カプラの様な別の要素の構成部分として好都合に使用することができる。
【００３８】
図９から図１７Ｃは、スコッチヨーク操作式解除可能逆目金具アッセンブリの実施形態を示している。図９の実施形態に示すように、スコッチヨーク操作式解除可能逆目金具アッセンブリ２１０は、逆目板本体部２１２、ヨーク２１４、シャフト２１６、及び軸受２２１を備えている。或る実施形態では、解除可能逆目金具アッセンブリ２１０は、１つ又は複数のアーム２２２を備えており、アーム２２２は、軸受２２１を回転させ易くしている。図９は、更に、逆目板本体２１２と、この逆目板本体２１２に対して９０度よりも大きい角度で折り返された１つ又は複数の逆目板腕部２４０と、を備えている逆目板２３０を示している。
【００３９】
図１０の実施形態に示すように、スコッチヨーク２１４は、戻り止め２３１を有するスロット２２６とロッド２３２を備えている。或る実施形態では、ロッド２３２は、カプラ（図示せず）又はカプラ基部２２４（図１２Ｂ、図１３Ｂ及び図１４Ｂに図示）の様なケーブル導管要素にねじ込まれて固定係合されている。また、軸受２２１は、シャフト２１６と係合する開口部２２８を備えている。他の実施形態では、軸受２２１はシャフト２１６と一体的に形成されている。他の形態も可能である。或る実施形態では、アーム２２２と軸受２２１を回転させてスロット２２６をシャフト２１６に作用させるように、スロット２２６はシャフト２１６と係合している。
【００４０】
図１１Ａから図１１Ｃは、図１０の軸受２２１とシャフト２１６を示している。図１１Ａから図１１Ｃの実施形態では、シャフト２１６は、軸受２２１の回転中心２３５から偏心即ちずれている。このような場合、軸受２２１を回転させると、シャフト２１６は半径方向の軌道を辿り、回転中心２３５に対して「ｘ」及び「ｙ」の両方向に動く。或る実施形態では、シャフト２１６がｙ方向に動くと、ヨーク２１４のスロット２２６がシャフト２１６に作用して、逆目板本体２１２をｙ方向に動かす。
【００４１】
図１１Ａから図１１Ｃは、軸受２２１を０度の位置から１８０度の位置まで回転させる際のシャフト２１６の半径方向の軌道を示している。図１１Ａは、軸受２２１が０度の位置でシャフト２１６が、軸受２２１の回転中心２３５に対してｘ＝０、ｙ＝Ｒの位置にある状態を示している。図１１Ｂの実施形態に示すように、軸受２２１を９０度の位置まで回転させると、シャフト２１６をｘ＝Ｒ、ｙ＝０の位置まで回転させることができる。更に、図１１Ｃに示すように、軸受２２１を１８０度の位置まで回転させると、シャフト２１６をｘ＝０、ｙ＝―Ｒの位置まで回転させることができる。
【００４２】
図１２Ａと図１２Ｂは、係合位置にある解除可能逆目金具アッセンブリ１２０を示している。図１２Ａと図１２Ｂの実施形態に示すように、閉鎖位置では、シャフト２１６は、軸受２２１の回転中心に対して概ねｘ＝０、ｙ＝Ｒの位置（（０、Ｒ）位置）にある。或る実施形態では、（０、Ｒ）位置のとき、逆目板本体２１２は、カプラ基部２２４から距離ｙ１の位置にある。
【００４３】
図１３Ａと図１３Ｂは、部分的係合解除位置にある解除可能逆目金具アッセンブリ２１０を示している。図１３Ａと図１３Ｂの実施形態に示すように、部分的係合解除位置では、シャフト２１６は、軸受２２１の回転中心２３５に対して概ねｘ＞０、−Ｒ＜ｙ＜Ｒの位置にある。或る実施形態では、ｘ＞０、−Ｒ＜ｙ＜Ｒ位置のとき、逆目板本体２１２はカプラ基部２２４から距離ｙ２の位置にある。
【００４４】
図１４Ａと図１４Ｂは、係合解除位置にある解除可能逆目金具アッセンブリ２１０を示している。図１４Ａと図１４Ｂの実施形態に示すように、係合解除位置では、シャフト２１６は、軸受２２１の回転中心２３５に対して概ねｘ＝０、ｙ＝−Ｒの位置（（０、−Ｒ）位置）にある。或る実施形態では（０、−Ｒ）のとき、逆目板本体２１２はカプラ基部２２４から距離ｙ３の位置にある。
【００４５】
図１２Ａから図１４Ｂの実施形態では、ｙ３＞ｙ２＞ｙ１であり、アーム２２２、軸受２２１、及びシャフト２１６を、閉鎖位置、部分的係合解除位置、及び係合解除位置、の間で回転させると、逆目板２１２をカプラ基部２２４に対して接近させ又は遠ざかる方向に動かし又は動かせるようにすることができる。例えば、アーム２２２を第１方向に回転させると、ヨーク２１４のスロット２２６は、シャフト２１６に作用して、逆目板本体２１２をカプラ基部２２４に接近する方向に動かし又は動かせるようにする。また、アーム２２２を第２方向に回転させると、スロット２２６は、シャフト２１６に作用して、逆目板本体２１２をカプラ基部２２４から遠ざかる方向に動かし又は動かせるようにする。また、アーム２２２を係合解除位置又は係合位置まで回転させると、解除可能逆目金具アッセンブリ２１０は何れの位置にでも係止される。
【００４６】
閉鎖位置では、逆目板腕部２４０は、アーム２２２が閉鎖位置に回転しているので、ケーブル経路決めシステムの要素に噛み付き係合する。その後、引張「引き抜き」力がケーブル経路決めシステムの要素に掛かると、逆目板腕部２４０（例えば、鋸歯状縁部を有する）は、要素に食い込み及び／又は要素の動きに抗する。逆目板２３０は、こうして要素がカプラ又はカプラ基部２２４から離れないように抵抗する。
【００４７】
図１５Ａから図１５Ｃは、シャフト２１６と係合させることのできる戻り止め２３１を有するスロット２２６を備えたヨーク２１４を示している。或る実施形態では、シャフト２１６がｘ方向に動く際に、戻り止め２３１は、シャフト２１６が閉鎖位置及び／又は係合解除位置のｘ＝０に近づくとシャフト２１６に係合する。シャフト２１６に係合することにより、戻り止め２３１は、シャフト２１６の動きに抵抗する。或る実施形態では、逆目板２３０の逆目板腕部２４０は、シャフト２１６に対して概ねｙ方向に作用して、戻り止め２３１をシャフト２１６に係合させることになる（図１５Ａ−１５Ｃに矢印で示す）力を加える。
【００４８】
図１６は、解除可能逆目金具アッセンブリ２１０の代わりの実施形態を示している。図１６の実施形態では、解除可能逆目金具アッセンブリ２１０は、逆目板本体部分２１２、軸受ブロック２４５、偏心軸受２２１、及び１つ又は複数のヨーク２１４を備えている。或る実施形態では、解除可能逆目金具アッセンブリ２１０は、１つ又は複数のアーム２２２と１つ又は複数のシャフト２１６を備えている。アーム２２２は、シャフト２１６と偏心軸受２２１を回転させ易くしている。図１６は、更に、逆目板本体２１２と、この逆目板本体２１２に対して９０度よりも大きな角度で折り返された１つ又は複数の逆目板腕部２４０と、を備えた逆目板２３０を示している。
【００４９】
図１７Ａから図１７Ｃは、軸受２２１を０度の位置から１８０度の位置まで回転させる際の半径方向の軌道を示している。図１７Ａは、係合位置にある解除可能逆目金具アッセンブリ２１０を示している。図１７Ａの実施形態に示すように、閉鎖位置では、シャフト２１６は、軸受２２１の回転中心２３５に対して概ねｘ＝０、ｙ＝−Ｒの位置（（０、−Ｒ）位置）にある。或る実施形態では、（０、−Ｒ）位置のとき、逆目板本体２１２は、カプラ基部２２４から距離ｙ１にある。
【００５０】
図１７Ｂは、部分的係合解除位置にある解除可能逆目金具アッセンブリ２１０を示している。図１７Ｂの実施形態に示すように、部分的係合解除位置では、シャフト２１６は、軸受２２１の回転中心２３５に対して概ねｘ＜０、−Ｒ＜ｙ＜Ｒの位置にある。或る実施形態では、ｘ＜０、−Ｒ＜ｙ＜Ｒ位置のとき、逆目板本体２１２は、カプラ基部２２４から距離ｙ２にある。
【００５１】
図１７Ｃは、係合解除位置にある解除可能逆目金具アッセンブリ２１０を示している。図１７Ｃの実施形態に示すように、係合解除位置では、シャフト２１６は、軸受２２１の回転中心２３５に対して概ねｘ＝０、ｙ＝Ｒの位置（（０、Ｒ）位置）にある。或る実施形態では、（０、Ｒ）位置のとき、逆目板本体２１２は、カプラ基部２２４から距離ｙ３にある。
【００５２】
図１７Ａから図１７Ｃの実施形態では、ｙ３＞ｙ２＞ｙ１であり、アーム２２２、軸受２２１、及びシャフト２１６を、閉鎖位置、部分的係合解除位置、及び係合解除位置、の間で回転させると、逆目板２１２をカプラ基部２２４に対して接近させ又は遠ざかる方向に動かし又は動かせるようにすることができる。例えば、アーム２２２を第１方向に回転させると、シャフト２１６は、偏心軸受２２１に作用して、逆目板本体２１２をカプラ基部２２４に接近する方向に動かし又は動かせるようにする。また、アーム２２２を第２方向に回転させると、シャフト２１６は、偏心軸受２２１に作用して、逆目板本体２１２をカプラ基部２２４から遠ざかる方向に動かし又は動かせるようにする。アーム２２２を係合解除位置又は係合位置まで回転させると、解除可能逆目金具アッセンブリ２１０はその何れの位置にでも係止される。
【００５３】
他の実施形態でのように、閉鎖位置では、逆目板腕部２４０は、アーム２２２が閉鎖位置に回転しているので、ケーブル経路決めシステムの要素に噛み付き係合させることができる。その後、引張「引き抜き」力がケーブル経路決めシステムの要素に掛かると、逆目板腕部２４０（例えば鋸歯状縁部を有する）は、要素に食い込み、及び／又は要素の動きに抗する。逆目板２３０は、こうして、要素がカプラ又はカプラ基部２２４から離れないように抵抗する。
４．カムバレル操作式解除可能逆目金具アッセンブリの実施形態
この実施形態は、カムバレル操作式解除可能逆目金具アッセンブリに着眼している。この解除可能逆目金具アッセンブリは、ケーブル経路決めシステムの１つ又は複数の構成要素に係合及び係合解除させるための、例えばケーブル導管カプラの様な別の要素の構成部分として好都合に使用することができる。
【００５４】
図１８から図２３Ａは、カムバレル操作式解除可能逆目金具アッセンブリの実施形態を示している。図１８に示すように、カムバレル操作式解除可能逆目金具アッセンブリ２１０は、１つ又は複数のタブ又はカムフォロワ２１９を有する逆目板本体部分２１２、１つ又は複数のカムトラック２１８を有するカムバレル２１７、及びケーブル導管要素基部２２４を備えている。或る実施形態では、タブ又はカムフォロワ２１９は、カムトラック２１８に係合して、カムバレル２１７を回転させるとカムトラック２１８が逆目板本体２１２のタブ２１９に作用するようにしている。カムバレル２１７を回転させると、カムトラック２１８が、逆目板本体２１２を、構成要素基部２２４に近づくか又は遠ざかる方向に動かし又は動けるようにする。例えば、カムバレル２１７を第１方向に回転させると、カムトラック２１８は、逆目板本体２１２を要素基部２２４に近づく方向に動かし又は動けるようにする。カムバレル２１７を第２方向に回転させると、カムトラック２１８は、逆目板本体２１２を要素基部２２４から遠ざかる方向に動かし又は動けるようにする。カムバレル２１７を、係合解除位置又は係合位置まで回転させると、解除可能逆目金具アッセンブリ２１０は、その何れの位置にでも係止される。
【００５５】
或る実施形態では、カムバレル２１７は、１つ又は複数のアーム又はレバー２２２を備えており、このアーム又はレバー２２２は、カムバレル２１７を回転させ易くしている。更に、或る実施形態では、カムバレル２１７は、１つ又は複数の係止ピン溝２２３を備えており、要素基部は１つ又は複数の係止ピン２２７を備えている。係止ピン溝２２３は、係止ピン２２７に作用して、カムバレル２１７の回転範囲（図１８に点線２３３で図示）を制限する。この他の例も考えられ、例えば、カムバレル２１７が１つ又は複数の係止ピンを備え、及び／又は要素基部２２４が１つ又は複数の溝を備えていてもよい。
【００５６】
図１８Ａは、代わりのカムトラック２１８を備えているカムバレル２１７の代わりの実施形態を示している。図１８Ａの実施形態では、カムトラック２１８は、タブ又はカムフォロワ２１９と係合させることができる経路又は溝を備えている。
【００５７】
図１９は、係合位置にあって、ケーブル経路決め要素２３４と係合していない解除可能逆目金具アッセンブリ２１０を示している。図１９は、逆目板本体２１２と、この逆目板本体２１２に対して９０度よりも大きな角度で折り返された１つ又は複数の逆目板腕部２４０と、を備えている逆目板２３０も示している。或る実施形態では、逆目板２３０は、１つ又は複数のばねタブ２３６を備えており、タブは、ケーブル導管要素の支持棚の様な支持要素２３８に作用するようになっている。ばねタブ２３６は、カムバレル２１７を係合解除位置に回転させると、逆目板本体２１２及び／又は逆目板２３０を要素基部２２４から遠ざかる方向に動かす。
【００５８】
図２０は、係合位置にあって、要素２３４と係合している解除可能逆目金具アッセンブリ２１０を示している。図２０の実施形態に示すように、逆目板腕部２４０は、カムバレル２１７を閉鎖位置に回転させると、要素２３４に噛み付き係合する。その後、引張「引き抜き」力が要素２３４に掛かると、逆目板腕部２４０（例えば、鋸歯状縁部を有する）は、要素２３４に食い込み及び／又は要素２３４の動きに抗する。逆目板２３０は、こうして要素２３４がケーブル導管要素又は要素基部２２４から離れないように抵抗する。
【００５９】
図２１は、係合解除位置にあって、要素２３４と係合していない解除可能逆目金具アッセンブリ２１０を示している。図２１の実施形態に示すように、ばねタブ２３６は、支持要素２３８に作用して、逆目板本体２１２及び／又は逆目板２３０を要素基部２２４から遠ざかる方向に動かすことになる。このように、カムバレル２１７を係合解除位置まで回転させると、逆目板腕部２４０、従って解除可能逆目金具アッセンブリ２１０が、要素２３４から係合解除される。
【００６０】
図２２の実施形態では、解除可能逆目金具アッセンブリ２１０は、ばね２４２を備えている。或る実施形態では、ばね２４２は、逆目板本体２１２に作用して、逆目板本体２１２及び／又は逆目板２３０を、要素基部２２４から遠ざかる方向に動かすことになる。このように、カムバレルを係合解除位置まで回転させると、逆目板腕部２４０、従って解除可能逆目金具アッセンブリ２１０は、要素２３４から係合解除される。或る実施形態では、ばね２４２は同軸圧縮ばねであるが、他の例も無論可能である。
【００６１】
図２３は、解除可能逆目金具アッセンブリ２１０の別の実施形態を示している。図２３の実施形態では、逆目板本体２１２はカムトラック２１８を備え、カムバレル２１７はタブ又はカムフォロワ２１９を備えている。タブ又はカムフォロワ２１９をカムトラック２１８に係合させ、カムバレル２１７を回転させると、タブ２１９がカムトラック２１８に作用するようにすることができる。別の実施形態では、カムバレル２１７を係合解除位置又は係合位置まで回転させると、解除可能逆目金具アッセンブリ２１０は、その何れのの位置にでも係止される。
【００６２】
図２３Ａは、代わりのタブ又はカムフォロワ２１９を備えているカムバレル２１７の代わりの実施形態を示している。
５．結論
以上、本発明の特定の実施形態の幾つかの例について説明してきた。しかしながら、当業者には理解頂けるように、これら実施形態には、特許請求の範囲の内容により定義されている本発明の範囲及び精神から逸脱することなく、変更や修正を加えることができる。
【図面の簡単な説明】
【００６３】
【図１】ケーブル導管要素で使用される、レバー操作式解除可能逆目金具アッセンブリの第１の実施形態の分解図を示している。
【図２】図２Ａは、係合位置にあるレバー操作式解除可能逆目金具アッセンブリを示す断面図である。図２Ｂは、回線又はダクトが逆目板に係合した状態の、係合位置にあるレバー操作式解除可能逆目金具アッセンブリを示す断面図である。  図２Ｃは、回線又はダクトが係合解除即ち取り外された状態の、係合解除位置にあるレバー操作式解除可能逆目金具アッセンブリを示す断面図である。
【図３】レバーの代わりの実施形態を示している。
【図４】レバー操作式解除可能逆目金具アッセンブリの第２の実施形態を示している。
【図５】レバー操作式解除可能逆目金具アッセンブリの第２の実施形態を示している。
【図６】代わりのレバー操作式解除可能逆目金具アッセンブリを備えたケーブル導管要素の斜視図である。
【図７】図７Ａは、係合解除位置にある図６の実施形態の一部の側面図を示している。図７Ｂは、閉鎖位置にある図６の実施形態の一部の側面図を示している。
【図８】図６の実施形態の細部の側面図を示している。
【図９】ケーブル導管要素と供に使用するスコッチヨーク操作式解除可能逆目金具アッセンブリの第１の実施形態の斜視図である。
【図１０】図９の実施形態の分解図を示している。
【図１１】図１１Ａから図１１Ｃは、図９の実施形態の軸受とシャフトの側面図を示している。
【図１２】図１２Ａ及び図１２Ｂは、係合位置にある図９の逆目金具アッセンブリの一部の側面図を示している。
【図１３】図１３Ａ及び図１３Ｂは、部分的係合解除位置にある図９の逆目金具アッセンブリの一部の側面図を示している。
【図１４】図１４Ａ及び図１４Ｂは、係合解除状態にある図９の逆目金具アッセンブリの一部の側面図を示している。
【図１５】図１５Ａから図１５Ｃは、図９の実施形態による戻り止めを備えたヨークの側面図を示している。
【図１６】図１６は、スコッチヨーク操作式解除可能逆目金具アッセンブリの第２の実施形態の斜視図を示している。
【図１７】図１７Ａから図１７Ｃは、軸受が０度の位置から１８０度の位置まで回転されたときのシャフトの半径方向の経路を示している。
【図１８】ケーブル導管要素と共に使用されるカムバレル操作式解除可能逆目金具アッセンブリの実施形態の分解図を示している。図１８Ａは、図１８の解除可能逆目金具アッセンブリの代わりのカムバレルを示している。
【図１９】係合位置にある図１８の解除可能逆目金具アッセンブリの側面図を示している。
【図２０】係合位置にあってケーブル経路決め要素と係合している図１８の解除可能逆目金具アッセンブリの側面図を示している。
【図２１】係合解除位置にある図１８の解除可能逆目金具アッセンブリの側面図を示している。
【図２２】ばねを備えた図１８の解除可能逆目金具アッセンブリの側面図を示している。
【図２３】カムバレル操作式解除可能逆目金具アッセンブリの代わりの実施形態の分解図を示している。図２３Ａは、図２３の解除可能逆目金具アッセンブリの代わりのカムバレルを示している。
【図１】
0004719923.tif 000002
【図２Ａ】
0004719923.tif 000003
【図２Ｂ】
0004719923.tif 000004
【図２Ｃ】
0004719923.tif 000005
【図３】
0004719923.tif 000006
【図４】
0004719923.tif 000007
【図５】
0004719923.tif 000008
【図６】
0004719923.tif 000009
【図７Ａ】
0004719923.tif 000010
【図７Ｂ】
0004719923.tif 000011
【図８】
0004719923.tif 000012
【図９】
0004719923.tif 000013
【図１０】
0004719923.tif 000014
【図１１Ａ】
0004719923.tif 000015
【図１１Ｂ】
0004719923.tif 000016
【図１１Ｃ】
0004719923.tif 000017
【図１２Ａ】
0004719923.tif 000018
【図１２Ｂ】
0004719923.tif 000019
【図１３Ａ−Ｂ】
0004719923.tif 000020
【図１４Ａ−Ｂ】
0004719923.tif 000021
【図１５Ａ】
0004719923.tif 000022
【図１５Ｂ】
0004719923.tif 000023
【図１５Ｃ】
0004719923.tif 000024
【図１６】
0004719923.tif 000025
【図１７Ａ】
0004719923.tif 000026
【図１７Ｂ】
0004719923.tif 000027
【図１７Ｃ】
0004719923.tif 000028
【図１８】
0004719923.tif 000029
【図１８Ａ】
0004719923.tif 000030
【図１９】
0004719923.tif 000031
【図２０】
0004719923.tif 000032
【図２１】
0004719923.tif 000033
【図２２】
0004719923.tif 000034
【図２３】
0004719923.tif 000035
【図２３Ａ】
0004719923.tif 000036